(57)【要約】【課題】  コンテンツ再生装置とコンテンツ表示装置においてそれぞれ生成される表示付加情報を画面上で見やすくできる表示付加情報処理装置を提供することを目的とする。【解決手段】  コンテンツ再生装置１１において生成される表示付加情報（１）の位置情報とコンテンツ表示装置１において生成される表示付加情報（２）の位置情報を比較し、これら表示付加情報がコンテンツ表示装置１の画面上で重なっているかどうかを判断する付加情報表示位置比較手段２と、付加情報表示位置比較手段２において表示付加情報が重なっていると判断されると、コンテンツ表示装置１が付加する表示付加情報（２）の自動配置補正、または表示付加情報（２）の半透明化、または表示付加情報（２）の非表示を実行する情報制御手段を備える。【選択図】      図１
2005303749.tif 000002
【特許請求の範囲】
【請求項１】
コンテンツを再生し、第１表示付加情報を生成してこれらコンテンツおよび第１表示付加情報を出力するコンテンツ再生装置と、第２表示付加情報を生成し、前記コンテンツ再生装置より入力したコンテンツおよび第１表示付加情報、さらに前記生成した第２表示付加情報を表示することが可能なコンテンツ表示装置とからなるシステムに設けられる表示付加情報処理装置であって、
前記第１表示付加情報の位置情報と前記第２表示付加情報の位置情報を比較し、前記第１表示付加情報と第２表示付加情報が前記コンテンツ表示装置の画面上で重なっているかどうかを判断する付加情報表示位置比較手段と、
前記付加情報表示位置比較手段において前記第１表示付加情報と第２表示付加情報が重なっていると判断されると、前記コンテンツ再生装置が付加する第１表示付加情報あるいは前記コンテンツ表示装置が付加する第２表示付加情報の表示方法を制御する情報制御手段
を備えたことを特徴とする表示付加情報処理装置。
【請求項２】
前記情報制御手段の表示方法の切り替えを制御するシステム制御部を備え、
前記情報制御手段は、前記システム制御部の指示に応じて、前記第１表示付加情報と前記第２表示付加情報が互いに重ならないように表示する、または一方の表示付加情報を半透明にして双方の表示付加情報の識別ができるように表示する、または一方の表示付加情報が表示中に他方の表示付加情報を一時的に消去すること
を特徴とする請求項１に記載の表示付加情報処理装置。
【請求項３】
前記コンテンツ再生装置に、前記第１表示付加情報の位置情報を前記付加情報表示位置比較手段へ出力する付加情報表示位置通信手段を設けること
を特徴とする請求項１または請求項２に記載の表示付加情報処理装置。
【請求項４】
前記コンテンツ再生装置の付加情報表示位置通信手段として、有線ＬＡＮまたは無線ＬＡＮを使用すること
を特徴とする請求項３に記載の表示付加情報処理装置。
【請求項５】
前記コンテンツ再生装置に、前記第１表示付加情報の位置情報を前記コンテンツの映像信号の垂直ブランキング期間に重畳させる付加情報表示位置重畳手段を設け、
前記コンテンツ表示装置に、前記コンテンツ再生装置で映像信号の垂直ブランキング期間に重畳した第１表示付加情報の位置情報を検出し、前記付加情報表示位置比較手段へ出力する付加情報表示位置検出手段を設けたこと
を特徴とする請求項１または請求項２に記載の表示付加情報処理装置。
【請求項６】
前記第１表示付加情報と前記第２表示付加情報の位置情報は、表示付加情報が表示される矩形領域の一つの頂点とその頂点と対角の位置にある頂点の位置情報から形成されること
を特徴とする請求項１〜請求項５のいずれか１項に記載の表示付加情報処理装置。
【請求項７】
前記第１表示付加情報と前記第２表示付加情報の位置情報は、表示付加情報が表示される矩形領域の一つの頂点の位置とその頂点と対角の位置にある頂点までの幅と高さの情報から形成されること
を特徴とする請求項１〜請求項５のいずれか１項に記載の表示付加情報処理装置。
【請求項８】
前記第１表示付加情報と前記第２表示付加情報の位置情報は、表示領域を文字の大きさで区切ったときの開始行と開始カラムと表示行数の情報から形成され、前記行数のカラム位置以降は表示付加情報があるとみなすこと
を特徴とする請求項１〜請求項５のいずれか１項に記載の表示付加情報処理装置。
【請求項９】
コンテンツを再生し、第１表示付加情報を生成してこれらコンテンツおよび第１表示付加情報を出力するコンテンツ再生装置と、第２表示付加情報を生成し、前記コンテンツ再生装置より入力したコンテンツおよび第１表示付加情報、さらに前記生成した第２表示付加情報を表示することが可能なコンテンツ表示装置とからなるシステムにおける前記表示付加情報の処理方法であって、
前記第１表示付加情報の位置情報と前記第２表示付加情報の位置情報を比較し、前記第１表示付加情報と第２表示付加情報が前記コンテンツ表示装置の画面上で重なっているかどうかを判断する第１ステップと、
前記第１表示付加情報と第２表示付加情報が重なっていると判断すると、第１表示付加情報あるいは第２表示付加情報の表示方法を制御する第２ステップ
を有することを特徴とする表示付加情報処理方法。
【請求項１０】
前記第２ステップとして、
前記第１表示付加情報と前記第２表示付加情報が互いに重ならないように表示するステップ、または一方の表示付加情報を半透明にして双方の表示付加情報の識別ができるように表示するステップ、または一方の表示付加情報が表示中に他方の表示付加情報を一時的に消去するステップを実行すること
を特徴とする請求項９に記載の表示付加情報処理方法。
【発明の詳細な説明】
【技術分野】
【０００１】
本発明は、コンテンツ表示装置の画面上に表示される表示付加情報の処理装置およびその処理方法に関するものである。
【背景技術】
【０００２】
近年、高機能化によりコンテンツ再生装置（例えば、ＤＶＤプレイヤー）やコンテンツ表示装置（例えば、テレビジョン）の表示付加情報は増え、画面に占める割合も増加している。
【０００３】
従来の表示付加情報を表示するコンテンツ再生装置とコンテンツ表示装置の構成図を図１１に示す。
図１１において、７１はコンテンツ再生装置（例えば、ＤＶＤプレイヤー）であり、このコンテンツ再生装置７１は、情報記憶媒体（例えば、ＤＶＤ）から映像や音声等のコンテンツを再生するコンテンツ再生手段７２と、付加する表示付加情報（１）（例えば、メニュー画面）の表示を要求する付加情報表示手段７４と、コンテンツ再生手段７２により再生されたコンテンツと付加情報表示手段７４から表示要求された表示付加情報（１）を重ねてコンテンツ表示装置８１へ出力する出力手段７３から構成されている。
【０００４】
コンテンツ表示装置８１は、付加する表示付加情報（２）（例えば、チャンネル番号）の表示を要求する付加情報表示手段８３と、コンテンツ表示装置７１から入力した情報｛コンテンツと表示付加情報（１）｝と付加情報表示手段８３から表示要求された表示付加情報（２）を重ねて画面へ出力する表示手段８２から構成されている。
【０００５】
上記構成により、コンテンツ再生装置７１では、コンテンツ再生手段７２においてコンテンツ（映像や音声情報）が再生され、出力手段７３からコンテンツがコンテンツ表示装置８１へ出力される。このとき、付加情報表示手段７３から表示付加情報（１）（例えば、メニュー画面）の表示要求があると、出力手段７３により、コンテンツと表示付加情報（１）が重ねられてコンテンツ表示装置８１へ出力される。
【０００６】
またコンテンツ表示装置（例えば、テレビジョン）８１では、コンテンツ表示装置７１から情報｛コンテンツと表示付加情報（１）｝を入力すると、この情報は表示手段８２により画面へ出力される。このとき、付加情報表示手段８３から表示付加情報（２）（例えば、チャンネル番号）の表示要求があると、表示手段８２により、コンテンツと表示付加情報（１）および表示付加情報（２）が重ねられて画面に出力される。
【０００７】
このような構成において、コンテンツ表示装置８１が表示付加情報（２）の表示位置が変更できない場合、コンテンツ再生装置７１の表示付加情報（１）の上にコンテンツ表示装置の表示付加情報が重なって表示され、その結果、コンテンツ再生装置７１の表示付加情報（１）が見えなくなることがある。
【０００８】
そこで、例えば、特許文献１に開示されているテレビジョンを、コンテンツ表示装置の一例として組み合せることが考えられる。このテレビジョンには、チャンネル番号（表示付加情報の一例）の表示位置を調整する付加情報表示制御手段が設けられ、外部からの選択信号によって画面の左上、右上、左下、右下のいずれかにチャンネル番号の表示位置を制御することできるよう構成されている。
【特許文献１】特開昭５８−１９１５７５号公報
【発明の開示】
【発明が解決しようとする課題】
【０００９】
しかしながら、コンテンツ表示装置として、特許文献１に開示されているテレビジョンを組み合せても、コンテンツ再生装置７１の表示付加情報（１）の表示位置によっては、チャンネル番号の表示位置を画面の左上、右上、左下、右下のいずれかに切り換えても、チャンネル番号の下にコンテンツ再生装置７１の表示付加情報（１）が隠れてしまい、表示付加情報（１）が見えなくなる、あるいは見にくい状態となることを解消できないという問題があった。
【００１０】
そこで、本発明は、コンテンツ再生装置から表示付加情報を含むコンテンツがコンテンツ表示装置へ出力され、この表示付加情報を含むコンテンツが画面が、コンテンツ表示装置にて生成される表示付加情報とともに表示されるシステムにおいて、これら表示付加情報を制御でき、表示付加情報を見やすくできる表示付加情報処理装置および表示付加情報処理方法を提供することを目的としたものである。
【課題を解決するための手段】
【００１１】
上記課題を解決するために、本発明の表示付加情報処理装置は、コンテンツを再生し、第１表示付加情報を生成してこれらコンテンツおよび第１表示付加情報を出力するコンテンツ再生装置と、第２表示付加情報を生成し、前記コンテンツ再生装置より入力したコンテンツおよび第１表示付加情報、さらに前記生成した第２表示付加情報を表示することが可能なコンテンツ表示装置とからなるシステムに設けられる表示付加情報処理装置であって、前記第１表示付加情報の位置情報と前記第２表示付加情報の位置情報を比較し、前記第１表示付加情報と第２表示付加情報が前記コンテンツ表示装置の画面上で重なっているかどうかを判断する付加情報表示位置比較手段と、前記付加情報表示位置比較手段において前記第１表示付加情報と第２表示付加情報が重なっていると判断されると、前記コンテンツ再生装置が付加する第１表示付加情報あるいは前記コンテンツ表示装置が付加する第２表示付加情報の表示方法を制御する情報制御手段を備えたことを特徴とするものである。
【００１２】
上記構成によれば、付加情報表示位置比較手段により、２つの表示付加情報の位置情報を比較して画面上で重なっているかどうかが判断され、重なっていると判断されると、情報制御手段により、第１表示付加情報あるいは第２表示付加情報の表示方法が制御され、表示付加情報が見にくい状態が解消される。
【００１３】
この第１表示付加情報あるいは第２表示付加情報の表示方法の制御として、表示付加情報の自動配置補正、または一方の表示付加情報の半透明化、または一方の表示付加情報の非表示を実行する。すなわち、第１表示付加情報と第２表示付加情報が互いに重ならないように表示位置をずらして表示する、または一方の表示付加情報を半透明にして双方の表示付加情報の識別ができ内容が見えるように表示する、または一方の表示付加情報が表示中に他方の表示付加情報を一時的に消去することを実行する。
【００１４】
また本発明の表示付加情報処理方法は、コンテンツを再生し、第１表示付加情報を生成してこれらコンテンツおよび第１表示付加情報を出力するコンテンツ再生装置と、第２表示付加情報を生成し、前記コンテンツ再生装置より入力したコンテンツおよび第１表示付加情報、さらに前記生成した第２表示付加情報を表示することが可能なコンテンツ表示装置とからなるシステムにおける前記表示付加情報の処理方法であって、前記第１表示付加情報の位置情報と前記第２表示付加情報の位置情報を比較し、前記第１表示付加情報と第２表示付加情報が前記コンテンツ表示装置の画面上で重なっているかどうかを判断する第１ステップと、前記第１表示付加情報と第２表示付加情報が重なっていると判断すると、第１表示付加情報あるいは第２表示付加情報の表示方法を制御する第２ステップを有することを特徴とするものである。また前記第２ステップとして、前記第１表示付加情報と前記第２表示付加情報が互いに重ならないように表示するステップ、または一方の表示付加情報を半透明にして双方の表示付加情報の識別ができるように表示するステップ、または一方の表示付加情報が表示中に他方の表示付加情報を一時的に消去するステップが実行される。
【発明の効果】
【００１５】
本発明の表示付加情報処理装置および表示付加情報処理方法は、第１表示付加情報あるいは第２表示付加情報の表示方法の制御を実行することにより、すなわち表示付加情報の自動配置補正、または一方の表示付加情報の半透明化、または一方の表示付加情報の非表示を実行することにより、表示付加情報を見やすくすることができる。
【発明を実施するための最良の形態】
【００１６】
以下、本発明の実施の形態を、図面を参照しながら説明する。
［実施の形態１］
図１は本発明の実施の形態１における表示付加情報処理装置を備えたコンテンツ表示装置とコンテンツ再生装置の構成図である。
【００１７】
図１において、１はコンテンツ表示装置（例えば、テレビジョン）であり、このコンテンツ表示装置１に、この表示装置１で付加する表示付加情報（２）（例えば、チャンネル番号；第２表示付加情報の一例）を生成しその表示を要求する付加情報表示手段５と、後述するコンテンツ表示装置１１から入力した情報および後述する付加情報表示制御手段３から表示要求された表示付加情報（２）を重ねて画面へ出力する表示手段６が設けられ、表示付加情報処理装置として、付加情報表示位置比較手段２と付加情報表示制御手段３と付加情報位置生成手段４が設けられている。また付加情報表示位置比較手段２と付加情報表示制御手段３は、システム制御部７に形成されており、付加情報表示制御手段３の表示方法の切り替えはシステム制御部７で行われる。
【００１８】
前記付加情報位置生成手段４は、コンテンツ表示装置１の画面に表示される初期状態の表示付加情報（２）の位置情報を予め有しており、後述する指示指令に応じて表示付加情報（２）の位置情報を変更する（生成する）。前記位置情報は、表１の表示位置情報指定方法および表示付加情報の表示位置（表示領域を含む）の情報から形成される（以下同じ；詳細は後述する）。
また前記付加情報表示位置比較手段２は、付加情報位置生成手段４より出力された付加情報の位置情報と、後述するコンテンツ再生装置１１から入力した表示付加情報（１）の位置情報を比較し、コンテンツ表示装置１の画面上で、重なっているかどうかを判断する。
【００１９】
また前記付加情報表示制御手段３は、付加情報表示位置比較手段２で比較した結果を元に、システム制御部７の指示に応じてコンテンツ表示装置１が付加する表示付加情報（２）の表示方法を調整する。
【００２０】
すなわち、システム制御部７の指示が「移動指示」のとき、付加情報表示位置比較手段２で比較した結果、重なりがあると判断されると、付加情報位置生成手段４へ、表示付加情報（２）に対して、画面上での表示位置の重なりがなくなるようにその位置情報を調整するよう指示指令を出力し、また付加情報表示手段５から出力された、コンテンツ表示装置１が付加する表示付加情報（２）を表示手段６へ出力する。
【００２１】
またシステム制御部７の指示が「半透明表示指示」のとき、付加情報表示位置比較手段２で比較した結果、重なりがあると判断されると、付加情報表示手段５から出力された表示付加情報（２）を半透明に調整して表示手段６へ出力する。
【００２２】
またシステム制御部７の指示が「非表示指示」のとき、付加情報表示位置比較手段２で比較した結果、重なりがあると判断されると、付加情報表示手段５から出力された表示付加情報（２）を表示手段６へ出力せずに、非表示とする。
【００２３】
また上記付加情報表示手段５は、コンテンツ表示装置１が付加する表示付加情報（２）（例えば、チャンネル番号）を生成するとともに、付加情報位置生成手段４で生成された付加情報表示位置情報を元に、出力する表示付加情報（２）の表示位置を調整する機能を有している。
【００２４】
また上記付加情報表示制御手段３と付加情報位置生成手段４により、付加情報表示位置比較手段２において表示付加情報（１）と表示付加情報（２）が重なっていると判断されると、コンテンツ再生装置１１が付加する表示付加情報（１）あるいはコンテンツ表示装置１が付加する表示付加情報（２）の表示方法の制御として、コンテンツ表示装置１が付加する表示付加情報（２）の自動配置補正、または表示付加情報（２）の半透明化、または表示付加情報（２）の非表示を実行する情報制御手段が形成されている。
【００２５】
また図１において、１１はコンテンツ表示装置１へコンテンツ等を出力するコンテンツ再生装置であり、このコンテンツ再生装置１１に、情報記憶媒体から映像や音声等のコンテンツを再生するコンテンツ再生手段１２と、再生装置１１で付加する表示付加情報（１）（例えば、メニュー画面；第１表示付加情報の一例）を生成しその表示を要求する付加情報表示手段１４と、コンテンツ再生手段１２により再生されたコンテンツと付加情報表示手段１４から表示要求された表示付加情報（１）を重ねてコンテンツ表示装置１へ出力する出力手段１３が設けられ、さらに表示付加情報処理装置として付加情報表示位置通信手段１５が設けられている。
【００２６】
前記付加情報表示手段１４は、コンテンツ再生装置１１が付加する表示付加情報（１）を生成するとともに、表示付加情報（１）の位置情報を付加情報表示位置通信手段１５へ出力する機能を有しており、付加情報表示位置通信手段１５は、付加情報表示手段１４から出力される表示付加情報（１）の位置情報を有線ＬＡＮまたは無線ＬＡＮを通してコンテンツ表示装置１内の付加情報表示位置比較手段２へ出力する。
【００２７】
表示付加情報の位置情報は、上述したように表示位置情報指定方法および表示付加情報の表示位置から形成される。表１には３つの表示位置情報指定方法および表示付加情報の表示位置が示されており、図２（ａ），（ｂ），（ｃ）に各表示位置情報指定方法に対応した具体例を示す。図２は、実際に画面上のどの範囲を指定しているかを示している。
【００２８】
【表１】
2005303749.tif 000003
表示位置情報指定方法１では、表示付加情報の位置情報を、表示付加情報が表示される矩形領域の一つの頂点とその頂点と対角の位置にある頂点（例として、左上と右下）のそれぞれの位置情報（ｘ座標とｙ座標）から形成する。
【００２９】
すなわち、表示付加情報の位置情報は、（指定方法のナンバーとして１，矩形左上のｘ座標，矩形左上のｙ座標，矩形右下のｘ座標，矩形右下のｙ座標）から形成され、図２（ａ）に示すように位置情報が、（１，５０，５０，１００，１００）のとき、矩形領域の左上の頂点が平面座標で（５０，５０）、矩形領域の右下の頂点が平面座標で（１００，１００）であることを指定している。
【００３０】
また表示位置情報指定方法２では、表示付加情報の表示位置情報を、表示付加情報が表示される矩形領域の一つの頂点（例として、左上）の位置とその頂点と対角の位置にある頂点までの幅と高さから形成する。
【００３１】
すなわち、表示付加情報の位置情報は、（指定方法のナンバーとして２，矩形左上のｘ座標，矩形左上のｙ座標，ｘ軸方向の幅，ｙ軸方向の高さ）から形成され、図２（ｂ）に示すように位置情報が（２，５０，５０，５０，５０）のとき、矩形領域の左上の頂点の平面座標が（５０，５０）、矩形領域のｘ軸方向の幅が５０、ｙ軸方向の幅（高さ）が５０であることを指定している。
【００３２】
また表示位置情報指定方法３では、表示付加情報の表示位置情報を、コンテンツ表示装置１の画面の表示領域を文字の大きさで区切ったとき（例えば、文字の大きさを３２×３２ドットとしたとき）の開始行と開始カラムと表示行数から形成し、前記行数のカラム位置以降は表示付加情報があるとみなす。
【００３３】
すなわち、表示付加情報の位置情報は、（指定方法のナンバーとして３，開始行，開始カラム，表示行数）から形成され、図２（ｃ）に示すように位置情報が（３，３，５，２）のとき、３行目の５カラム目から下に２行分、右は画面の端までの領域を指定している。
【００３４】
次に、前記付加情報表示位置比較手段２における、付加情報位置生成手段４より出力された表示付加情報（２）の位置情報と、コンテンツ再生装置１１から入力した表示付加情報（１）の位置情報が重なっているかどうかの判定方法について詳細に説明する。付加情報位置生成手段４より出力された表示付加情報（２）の表示領域を矩形Ａ、コンテンツ再生装置１１から入力した表示付加情報（１）の表示領域を矩形Ｂとする。
【００３５】
まず、表１に記載の表示位置情報指定方法１を用いた表示付加情報の重なり判定の例を説明する。
比較を行なう２つの矩形Ａ、Ｂの領域を（Ｘ１ａ，Ｙ１ａ，Ｘ２ａ，Ｙ２ａ）、（Ｘ１ｂ，Ｙ１ｂ，Ｘ２ｂ，Ｙ２ｂ）とする。ここで、Ｘ１は表示画面上の左上の頂点のｘ座標、Ｙ１は表示画面上の左上の頂点のｙ座標、Ｘ２は表示画面上の右下の頂点のｘ座標、Ｙ２は表示画面上の右下の頂点のｙ座標を表すこととする。２つの矩形Ａ、Ｂの左上の頂点の座標（Ｘ１ａ，Ｙ１ａ）、（Ｘ１ｂ，Ｙ１ｂ）の大小判定から以下の条件を満たしたときに重なっていることを判定することができる。
【００３６】
Ｘ２ａ＞Ｘ１ｂ  （Ｘ１ａ＜Ｘ１ｂのとき）
Ｘ２ｂ＞Ｘ１ａ  （Ｘ１ａ＞Ｘ１ｂのとき）
かつ
Ｙ２ａ＞Ｙ１ｂ  （Ｙ１ａ＜Ｙ１ｂのとき）
Ｙ２ｂ＞Ｙ１ａ  （Ｙ１ａ＞Ｙ１ｂのとき）
次に、表１に記載の表示位置情報指定方法２を用いた表示付加情報の重なり判定の例を説明する。
【００３７】
比較を行なう２つの矩形Ａ、Ｂの領域を（Ｘａ，Ｙａ，Ｗａ，Ｈａ）、（Ｘｂ，Ｙｂ，Ｗｂ，Ｈｂ）とする。ここで、Ｘは表示画面上の左上の頂点のｘ座標、Ｙは表示画面上の左上の頂点のｙ座標、Ｗは矩形領域のｘ方向の幅、Ｈは矩形領域のｙ方向の高さを表すこととする。２つの矩形Ａ、Ｂの左上の頂点の座標（Ｘａ，Ｙａ）、（Ｘｂ，Ｙｂ）の大小判定から以下の条件を満たしたときに重なっていることを判定することができる。
【００３８】
Ｘａ＋Ｗａ＞Ｘｂ  （Ｘａ＜Ｘｂのとき）
Ｘｂ＋Ｗｂ＞Ｘａ  （Ｘａ＞Ｘｂのとき）
かつ
Ｙａ＋Ｈａ＞Ｙｂ  （Ｙａ＜Ｙｂのとき）
Ｙｂ＋Ｈｂ＞Ｙａ  （Ｙａ＞Ｙｂのとき）
次に、表１に記載の表示位置情報指定方法３を用いた表示付加情報の重なり判定の例を説明する。
【００３９】
比較を行なう２つの矩形Ａ、Ｂの領域を（Ｙａ，Ｘａ，Ｈａ）、（Ｙｂ，Ｘｂ，Ｈｂ）とする。ここで、Ｙは表示文字の開始行、Ｘは表示文字の開始カラム、Ｈは表示文字の表示行数を表すこととする。２つの矩形Ａ、Ｂの左上の頂点の座標（開始カラム，開始行）（Ｘａ，Ｙａ）、（Ｘｂ，Ｙｂ）の大小判定から以下の条件を満たしたときに重なっていることを判定することができる。
【００４０】
Ｗａ＝表示画面上の右端の表示カラム−Ｘａ＋１
Ｗｂ＝表示画面上の右端の表示カラム−Ｘｂ＋１
Ｘａ＋Ｗａ＞Ｘｂ  （Ｘａ＜Ｘｂのとき）
Ｘｂ＋Ｗｂ＞Ｘａ  （Ｘａ＞Ｘｂのとき）
かつ
Ｙａ＋Ｈａ＞Ｙｂ  （Ｙａ＜Ｙｂのとき）
Ｙｂ＋Ｈｂ＞Ｙａ  （Ｙａ＞Ｙｂのとき）
このように、付加情報表示位置比較手段２は、付加情報位置生成手段４より出力された表示付加情報（２）の位置情報と、コンテンツ再生装置１１から入力した表示付加情報（１）の位置情報により、表示付加情報（１）（２）が重なっているかどうかを判定することができる。
【００４１】
以上のように構成されたコンテンツ再生装置１１およびコンテンツ表示装置１について、図３〜図６を用いて、その動作を説明する。図３〜図５は付加情報表示位置情報の比較処理の動作手順のフロー図、図６は表示付加情報の制御処理の一例である。付加情報表示位置情報の比較処理はマイコンを用いてソフト処理される。
【００４２】
コンテンツ再生装置１１のコンテンツ再生手段１２においてコンテンツが再生され、出力手段１３からコンテンツ（映像や音声情報）がコンテンツ表示装置１６へ出力される。このとき、付加情報表示手段１４よりコンテンツ再生装置１１のメニュー画面などの表示要求があると、コンテンツ上に表示付加情報（１）を重ねて、出力手段１３から出力するとともに、付加情報表示手段１４は表示付加情報（１）の位置情報（表１の表示位置情報指定方法および表示付加情報の表示位置）を付加情報表示位置通信手段１５（有線ＬＡＮまたは無線ＬＡＮ）を通してコンテンツ表示装置１６内の付加情報表示位置比較手段１７へ出力する。
【００４３】
コンテンツ表示装置１においても、コンテンツ表示装置１のメニュー画面などの表示要求があると、付加情報表示制御手段３によって表示制御されているコンテンツ上に表示付加情報（２）を重ねて表示し、表示手段６からコンテンツと表示付加情報（１）および表示付加情報（２）が画面に出力される。
【００４４】
ここで、表示付加情報（１）を含むコンテンツと、コンテンツ表示装置１から表示付加情報（２）が、図６（ｂ）に示すように同時に表示される場合について説明する。この場合、システム制御部７からの指示に基づいて下記の３つの対処が行われる。なお、表示付加情報（１）および表示付加情報（２）が重なるとき、コンテンツ表示装置１の表示付加情報（２）が上側（見ることができる側）に表示される。
【００４５】
Ａ．システム制御部７からの指示が「移動指示」の場合
この「移動指示」の場合、図３に示す手順により、表示付加情報（１）（２）が互いに重ならないように表示位置をずらして表示される。
ステップ−Ｓ１
有線ＬＡＮまたは無線ＬＡＮを通して伝えられた表示付加情報（１）の位置情報とコンテンツ表示装置１内の付加情報位置生成手段４で生成される表示付加情報（２）の位置情報は、付加情報表示位置比較手段２により比較されて画面上で重なっているかどうかが判断される。
ステップ−Ｓ２
ステップ−Ｓ１により重なっていると判断されると、付加情報表示制御手段３は付加情報位置生成手段４へ、表示付加情報（２）に対して画面上での表示位置の重なりがなくなるように指示指令を出力する。付加情報位置生成手段４はこの指示指令を入力すると、表示付加情報（２）の位置情報を調整し、調整した表示位置で表示付加情報を出すように付加情報表示手段５へ出力する。付加情報表示手段５はこの出力に従って表示付加情報（２）の表示位置を調整し、付加情報表示制御手段３へ出力する。
ステップ−Ｓ３
付加情報表示制御手段３は、付加情報生成手段５より入力した、調整された表示付加情報を表示手段６へ出力し、表示付加情報（２）を表示させる。
【００４６】
またステップ−Ｓ１において、重なりなしと判断されると、付加情報表示制御手段３は、付加情報表示手段５から出力された、調整なし表示付加情報をそのまま表示手段６へ出力し、表示付加情報（２）を表示させる。
【００４７】
上記ステップにより、図６（ｂ）（イ）に示すように画面上で表示付加情報（１）と表示付加情報（２）が重なることなく表示される。
Ｂ．システム制御部７からの指示が「半透明表示指示」の場合
半透明表示指示の場合、図４に示す手順により、一方の表示付加情報として表示付加情報（２）を半透明にし、双方の表示付加情報（１）（２）の識別ができ、内容が見えるように表示される。
ステップ−Ｓ４
有線ＬＡＮまたは無線ＬＡＮを通して伝えられた表示付加情報（１）の位置情報とコンテンツ表示装置１内の付加情報位置生成手段４で生成される表示付加情報（２）の位置情報（２）は、付加情報表示位置比較手段２により比較されて画面上で重なっているかどうかが判断される。
ステップ−Ｓ５
ステップ−Ｓ４において、重なっていると判断されると、付加情報表示制御手段３は、付加情報生成手段５から出力された表示付加情報（２）に対して、半透明で表示するように表示方法を調整して表示手段６へ出力し、半透明で表示付加情報（２）を表示させる。
ステップ−Ｓ６
ステップ−Ｓ１において、重なりなしと判断されると、付加情報表示制御手段３は、付加情報生成手段５から出力された表示付加情報をそのまま表示手段６へ出力し、表示付加情報（２）を表示させる。
【００４８】
上記ステップにより、図６（ｂ）（ロ）に示すように画面上で重なった表示付加情報（１）と表示付加情報（２）の内容を識別して同時に見ることができる。
Ｃ．システム制御部７からの指示が「非表示指示」の場合
非表示指示の場合、図５に示す手順により、一方の表示付加情報として表示付加情報（１）が表示中に、他方の表示付加情報として表示付加情報（２）が一時的に消去される。
ステップ−Ｓ７
有線ＬＡＮまたは無線ＬＡＮを通して伝えられた表示付加情報（１）の位置情報とコンテンツ表示装置１内の付加情報位置生成手段４で生成される表示付加情報（２）の位置情報（２）は、付加情報表示位置比較手段２により比較されて画面上で重なっているかどうかが判断される。
ステップ−Ｓ８
ステップ−Ｓ７において、重なっていると判断されると、付加情報表示制御手段３は、下側に重なっている表示付加情報（１）が表示中の間、付加情報表示手段５から出力され、上側に重なる表示付加情報（２）を非表示とするように調整して表示手段６へ出力せず、表示付加情報（２）を非表示とする。
ステップ−Ｓ９
ステップ−Ｓ７において、重なりなしと判断されると、付加情報表示制御手段３は、付加情報表示手段５から出力された表示付加情報をそのまま表示手段６へ出力し、表示付加情報（２）を表示させる。
【００４９】
上記ステップにより、表示付加情報（２）が非表示処理され、図６（ｂ）（ハ）に示すように表示付加情報（２）が見えなくなり、表示付加情報（１）の内容を見ることができる。
【００５０】
以上のように、本実施の形態１によれば、表示付加情報（１）の位置情報と第２表示付加情報（２）の位置情報を比較し、表示付加情報（１）と表示付加情報（２）がコンテンツ表示装置１の画面上で重なっているかどうかを判断する第１ステップと、表示付加情報（１）と表示付加情報（２）が重なっていると判断すると、表示付加情報（１）と表示付加情報（２）の表示方法を制御する第２ステップを実行することにより、表示付加情報（１）（２）を互いに重ならないように表示位置をずらして表示することができ、また表示付加情報（２）（一方の表示付加情報の一例）を半透明にし、双方の表示付加情報（１）（２）の識別ができるように表示することができ、よって画面上で重なった表示付加情報（１）（２）の内容を同時に見ることができ、また表示付加情報（１）（一方の表示付加情報の一例）が表示中に表示付加情報（２）（もう一方の表示付加情報の一例）を一時的に消去することができ、画面上、下側に重なっている表示付加情報（１）の内容を見ることができる。
【００５１】
このように、表示付加情報の自動配置補正、または一方の表示付加情報の半透明化、または一方の表示付加情報の非表示を実行することにより、表示付加情報を見やすくすることができる。
［実施の形態２］
図７は本発明の実施の形態２における表示付加情報処理装置を備えたコンテンツ表示装置とコンテンツ再生装置の構成図である。なお、図１の実施の形態１と同一の構成には同一の符号を付して説明を省略する。
【００５２】
図７において、２１はコンテンツ再生装置１１に付加情報表示位置通信手段に代えて設けられた付加情報表示位置重畳手段、２２はコンテンツ表示装置１に新たに付加された付加情報表示位置検出手段である。
【００５３】
付加情報表示位置重畳手段２１は、付加情報表示手段１４から出力される表示付加情報（１）の位置情報を映像信号の垂直ブランキング期間の１８あるいは１９ラインに重畳させる。このとき、出力手段１３は、コンテンツと表示付加情報（１）と表示付加情報（１）の位置情報とを出力する。
【００５４】
また前記付加情報表示位置検出手段２２は、コンテンツ再生装置１１で映像信号の垂直ブランキング期間に重畳した表示付加情報（１）の位置情報を検出し、付加情報表示位置比較手段２へ出力するとともに、コンテンツと表示付加情報（１）を表示手段６へ出力する。
【００５５】
以上のように構成されたコンテンツ再生装置、およびコンテンツ表示装置について、図６、図８を用いて、その動作を説明する。図８はコンテンツ表示装置側で制御する場合の接続例である。付加情報表示位置情報の比較処理はマイコンを用いてソフト処理される。
【００５６】
コンテンツ再生装置１１のコンテンツ再生手段１２においてコンテンツが再生され、出力手段１３からコンテンツ（映像や音声情報）がコンテンツ表示装置１へ出力される。このとき、コンテンツ再生装置１１のメニュー画面やコンテンツの情報などの表示要求があると、付加情報表示手段１４の要求に従ってコンテンツ上に表示付加情報（１）を重ね、表示付加情報（１）の位置情報を付加情報表示位置重畳手段２１を通してコンテンツ再生装置１１の映像信号の垂直ブランキング期間の１８あるいは１９ラインに重畳させ、出力手段１３によりコンテンツ表示装置１内の付加情報表示位置検出手段２２へ出力する。付加情報表示位置検出手段２２は、映像信号の垂直ブランキング期間に重畳された表示付加情報（１）の位置情報を取り出して付加情報表示位置比較手段２へ出力し、コンテンツと表示付加情報（１）を表示手段６へ出力する。
【００５７】
コンテンツ表示装置１においても、コンテンツ表示装置１のチャンネル番号などの表示要求があると、付加情報表示制御手段３によって表示されているコンテンツ上に付加情報表示手段５により生成された表示付加情報（２）を重ねて表示し、表示手段６からコンテンツと表示付加情報（１）および表示付加情報（２）が画面に出力される。
【００５８】
ここで、コンテンツ再生装置１１から表示付加情報（１）、コンテンツ表示装置１１から表示付加情報（２）が同時に表示される場合、実施の形態１と同様に、システム制御部７からの指示が「移動指示」のとき、図６（ｂ）（イ）に示すように、表示付加情報（１）（２）を互いに重ならないように表示位置をずらして表示され、またシステム制御部７からの指示が「半透明指示」のとき、図６（ｂ）（ロ）に示すように、表示付加情報（２）（一方の表示付加情報の一例）を半透明にし、双方の表示付加情報（１）（２）の識別ができるように表示され、またシステム制御部７からの指示が「非表示指示」のとき、図６（ｂ）（ハ）に示すように、表示付加情報（１）（一方の表示付加情報の一例）の表示中に表示付加情報（２）（他方の表示付加情報の一例）が一時的に消去される。
【００５９】
以上のように、本実施の形態２によれば、実施の形態１と同様に、表示付加情報（１）の位置情報と第２表示付加情報（２）の位置情報を比較し、表示付加情報（１）と表示付加情報（２）がコンテンツ表示装置１の画面上で重なっているかどうかを判断する第１ステップと、表示付加情報（１）と表示付加情報（２）が重なっていると判断すると、表示付加情報（１）と表示付加情報（２）の表示方法を制御する第２ステップを実行することにより、表示付加情報（１）（２）を互いに重ならないように表示位置をずらして表示することができ、また表示付加情報（２）（一方の表示付加情報の一例）を半透明にし、双方の表示付加情報（１）（２）の識別ができるように表示することができ、よって画面上で重なった表示付加情報（１）（２）の内容を同時に見ることができ、また表示付加情報（１）（一方の表示付加情報の一例）の表示中に表示付加情報（２）（もう一方の表示付加情報の一例）を一時的に消去することができ、下側に重なっている表示付加情報（１）の内容を見ることができる。
【００６０】
このように、表示付加情報の自動配置補正、または一方の表示付加情報の半透明化、または一方の表示付加情報の非表示を実行することにより、表示付加情報を見やすくすることができる。
【００６１】
さらに本実施の形態２によれば、図８に示すように、新たに制御用信号線を追加すること無く、従来の映像・音声ケーブルのみで、コンテンツ再生装置１１は、表示付加情報（１）の位置情報をコンテンツ表示装置１に出力することができ、コンテンツ表示装置１は表示付加情報（１）の位置情報を受け取ることができる。
［実施の形態３］
図９は本発明の実施の形態３における表示付加情報処理装置を備えたコンテンツ表示装置とコンテンツ再生装置の構成図である。なお、図１の実施の形態１と同一の構成には同一の符号を付して説明を省略する。
【００６２】
図９に示すように、コンテンツ再生装置１１に、付加情報表示位置通信手段１５に代えて、付加情報表示位置比較手段３１と付加情報表示制御手段３２と付加情報位置生成手段３３を設けている。また付加情報表示位置比較手段３１と付加情報表示制御手段３２は、システム制御部３４に形成されており、付加情報表示制御手段３２の表示方法の切り替えはシステム制御部３４で行われる。
【００６３】
前記付加情報位置生成手段３３は、実施の形態１の付加情報位置生成手段４と同様の機能を有しており、コンテンツ再生装置１１で表示される表示付加情報（１）の位置情報（初期の表示付加情報の表示位置）を予め有しており、後述する指示指令に応じて表示付加情報（１）の位置情報を変更する（生成する）。
【００６４】
また付加情報表示位置比較手段３１は、実施の形態１の付加情報表示位置比較手段２と同様の機能を有しており、付加情報位置生成手段３３より出力された表示付加情報（１）の位置情報（表示位置）と、後述するコンテンツ表示装置１から入力した表示付加情報（２）の位置情報（表示位置）を比較し、重なっているかどうかを判断する。
【００６５】
また付加情報表示制御手段３２は、実施の形態１の付加情報表示制御手段３と略同様の機能を有しており、付加情報表示位置比較手段３１で比較した結果を元に、システム制御部３４の指示に応じてコンテンツ再生装置１１が付加する表示付加情報（１）の表示方法を調整する。
【００６６】
すなわち、システム制御部３４の指示が「移動指示」のとき、付加情報表示位置比較手段３１で比較した結果、重なっていると判断されると、付加情報位置生成手段３３へ、表示付加情報（１）（一方の表示付加情報の一例）に対して、画面上での表示位置の重なりがなくなるように表示付加情報（１）の位置情報（表示位置）を調整するよう指示指令を出力し、また付加情報表示手段１４から出力された、コンテンツ再生装置１１が付加する表示付加情報（１）を出力手段１３へ出力する。
【００６７】
またシステム制御部３４の指示が「非表示指示」のとき、付加情報表示位置比較手段３１で比較した結果、重なっていると判断されると、付加情報表示手段１４から出力された表示付加情報（１）を出力手段１３へ出力せずに、非表示とする。
【００６８】
また上記付加情報表示制御手段３２と付加情報位置生成手段３３により、付加情報表示位置比較手段３１において表示付加情報（１）と表示付加情報（２）が重なっていると判断されると、コンテンツ再生装置１１が付加する表示付加情報（１）あるいはコンテンツ表示装置１が付加する表示付加情報（２）の表示方法の制御として、コンテンツ再生装置１１が付加する表示付加情報（１）の自動配置補正、または表示付加情報（１）の非表示を実行する情報制御手段が形成されている。
【００６９】
またコンテンツ表示装置１では、付加情報表示位置比較手段２と付加情報表示制御手段３と付加情報位置生成手段４に代えて、付加情報表示位置通信手段３５を設けている。
この付加情報表示位置通信手段３５は、実施の形態１の付加情報表示位置通信手段１５と同様の機能を有しており、付加情報表示手段５から出力される表示付加情報（２）の位置情報（表１の表示位置情報指定方法および表示付加情報の表示位置）を有線ＬＡＮまたは無線ＬＡＮを通してコンテンツ表示装置１１内の付加情報表示位置比較手段３１へ出力する。
【００７０】
以上のように構成されたコンテンツ再生装置１１、およびコンテンツ表示装置１について、図３、図５、図１０および表１を用いて、その動作を説明する。図１０は表示付加情報の制御処理の一例である。付加情報表示位置情報の比較処理はマイコンを用いてソフト処理される。
【００７１】
コンテンツ再生装置１１のコンテンツ再生手段１２においてコンテンツが再生され、出力手段１３からコンテンツ（映像や音声情報）がコンテンツ表示装置１へ出力される。
このとき、コンテンツ表示装置１のメニュー画面やコンテンツの情報などの表示要求があると、付加情報表示手段５の要求に従ってコンテンツ上に表示付加情報（２）を重ねて表示し、表示手段６からコンテンツと表示付加情報（１）および表示付加情報（２）が画面に出力される。また、付加情報表示手段５は表示付加情報（２）の位置情報を付加情報表示位置通信手段３５（有線ＬＡＮまたは無線ＬＡＮ）を通してコンテンツ再生装置１１内の付加情報表示位置比較手段３１へ出力する。
【００７２】
ここで、コンテンツ再生装置１１の表示付加情報（１）、コンテンツ表示装置１の表示付加情報（２）が同時に表示される場合について説明する。
Ｄ．システム制御部３４からの指示が「移動指示」の場合
この「移動指示」の場合、図３に示す手順により、表示付加情報（１）（２）が互いに重ならないように表示位置をずらして表示される。
ステップ−Ｓ１
有線ＬＡＮまたは無線ＬＡＮを通して伝えられた表示付加情報（２）の位置情報とコンテンツ再生装置１１内の付加情報位置生成手段３３で生成される表示付加情報（１）の位置情報は、付加情報表示位置比較手段３１により比較されて画面上で重なっているかどうかが判断される。
ステップ−Ｓ２
ステップ−Ｓ１により重なっていると判断されると、付加情報表示制御手段３２は付加情報位置生成手段３３へ、表示付加情報（１）に対して画面上での表示位置の重なりがなくなるように指示指令を出力する。付加情報位置生成手段３３はこの指示指令を入力すると、表示付加情報（１）の表示位置を調整し、調整した表示位置で表示付加情報を出すように付加情報表示手段１４へ出力する。付加情報表示手段１４はこの出力に従って表示付加情報（１）の表示位置を調整し、付加情報表示制御手段３２へ出力する。
ステップ−Ｓ３
付加情報表示制御手段３２は、付加情報生成手段３３より入力した、調整された表示付加情報（１）を出力手段１３へ出力し、出力手段１３によりコンテンツおよび調整された表示付加情報（１）がコンテンツ表示装置１へ出力される。
【００７３】
またステップ−Ｓ１において、重なりなしと判断されると、付加情報表示制御手段３２は、付加情報表示手段１４から出力された、調整なし表示付加情報（１）をそのまま出力手段１３へ出力し、出力手段１３によりコンテンツおよび調整なし表示付加情報（１）がコンテンツ表示装置１へ出力される。
【００７４】
上記ステップにより、図１０（ｂ）（イ）に示すように画面上で表示付加情報（１）と表示付加情報（２）が重なることなく表示される。
Ｅ．システム制御部３４からの指示が「非表示指示」の場合
非表示指示の場合、図５に示す手順により、表示付加情報（２）（一方の表示付加情報の一例）の表示中に表示付加情報（１）（他方の表示付加情報の一例）が一時的に消去される。
ステップ−Ｓ７
有線ＬＡＮまたは無線ＬＡＮを通して伝えられた表示付加情報（２）の位置情報とコンテンツ表示装置１内の付加情報位置生成手段４で生成される表示付加情報（１）の位置情報は、付加情報表示位置比較手段３１により比較されて画面上で重なっているかどうかが判断される。
ステップ−Ｓ８
ステップ−Ｓ７において、重なっていると判断されると、付加情報表示制御手段３２は、上側に重なっている表示付加情報（２）が表示中の間、付加情報表示手段１４から出力される、下側に重なる表示付加情報（１）を出力手段１３へ出力せずに、表示付加情報（１）を非表示とする。出力手段１３からはコンテンツのみがコンテンツ表示装置１へ出力される。
ステップ−Ｓ９
ステップ−Ｓ７において、重なりなしと判断されると、付加情報表示制御手段３は、付加情報表示手段５から出力された表示付加情報をそのまま表示手段６へ出力し、表示付加情報（２）を表示させる。
【００７５】
上記ステップにより、表示付加情報（１）が非表示処理され、図１０（ｂ）（ロ）に示すように表示付加情報（１）が見えなくなり、表示付加情報（２）の内容が見られる。
以上のように、本実施の形態３によれば、実施の形態１と同様に、表示付加情報（１）の位置情報と第２表示付加情報（２）の位置情報を比較し、表示付加情報（１）と表示付加情報（２）がコンテンツ表示装置１の画面上で重なっているかどうかを判断する第１ステップと、表示付加情報（１）と表示付加情報（２）が重なっていると判断すると、表示付加情報（１）と表示付加情報（２）の表示方法を制御する第２ステップを実行することにより、表示付加情報（１）（２）を互いに重ならないように表示位置をずらして表示することができ、また表示付加情報（２）（一方の表示付加情報の一例）が表示中に表示付加情報（１）（他方の表示付加情報の一例）を一時的に消去することができ、下側に重なっている表示付加情報（１）の内容を見えなくすることができる。
【００７６】
このように、表示付加情報の自動配置補正、または一方の表示付加情報の非表示を実行することにより、表示付加情報を見やすくすることができる。
【産業上の利用可能性】
【００７７】
本発明にかかる表示付加情報処理装置は、表示付加情報の自動配置補正、一方の表示付加情報の半透明化、一方の表示付加情報の非表示の機能を有し、オンスクリーンディスプレイで情報を表示するＡＶ機器のシステムにおける表示付加情報の最適な表示制御手段として有用である。
【図面の簡単な説明】
【００７８】
【図１】本発明の実施の形態１における表示付加情報処理装置を備えたコンテンツ表示装置とコンテンツ再生装置の構成図である。
【図２】同実施の形態１，２，３における表示付加情報の位置情報の画面上での領域を示す図である。
【図３】同実施の形態１，２，３における表示付加情報の位置情報の比較処理動作手順フロー図である。
【図４】同実施の形態１，２，３における表示付加情報の位置情報の比較処理動作手順フロー図である。
【図５】同実施の形態１，２，３における表示付加情報の位置情報の比較処理動作手順フロー図である。
【図６】同実施の形態１における表示付加情報の制御処理の一例を示す図である。
【図７】本発明の実施の形態２における表示付加情報処理装置を備えたコンテンツ表示装置とコンテンツ再生装置の構成図である。
【図８】同実施の形態２における表示付加情報の制御処理の一例を示す図である。
【図９】本発明の実施の形態３における表示付加情報処理装置を備えたコンテンツ表示装置とコンテンツ再生装置の構成図である。
【図１０】同実施の形態３における表示付加情報の制御処理の一例を示す図である。
【図１１】従来の表示付加情報処理装置を備えたコンテンツ表示装置とコンテンツ再生装置の構成図である。
【符号の説明】
【００７９】
１    コンテンツ表示装置
２，３１    付加情報表示位置比較手段
３，３２    付加情報表示制御手段
４，３３    付加情報位置生成手段
５，１４    付加情報表示手段
６    表示手段
７，３４    システム制御部
１１  コンテンツ再生装置
１２  コンテンツ再生手段
１３  出力手段
１５，３５  付加情報表示位置通信手段
２１  付加情報表示位置重畳手段
２２  付加情報表示位置検出手段
【図１】
2005303749.tif 000004
【図２】
2005303749.tif 000005
【図３】
2005303749.tif 000006
【図４】
2005303749.tif 000007
【図５】
2005303749.tif 000008
【図６】
2005303749.tif 000009
【図７】
2005303749.tif 000010
【図８】
2005303749.tif 000011
【図９】
2005303749.tif 000012
【図１０】
2005303749.tif 000013
【図１１】
2005303749.tif 000014